(57)【特許請求の範囲】
【請求項１】
ハウジング（３０）内にあってそのメモリーカード挿入空間に挿抜されるメモリーカード（Ａ）の挿入・排出方向に往復スライドするスライダー（４０）と、
スライダー（４０）をメモリーカード（Ａ）の排出方向に付勢させる復帰バネと、
スライダー（４０）をメモリーカード（Ａ）と共に押し込むことにより、その所定の押し込み位置でスライダー（４０）を戻り止めし、
再度の押し込み動作によって戻り止めを解除するためのピンガイド溝（２０）及び該ピンガイド溝（２０）内を摺動するガイドピン（２１）とからなるプッシュオン・プッシュオフ機構とを備え、
メモリーカード（Ａ）の押込方向動作によってスライダー（４０）が押し込まれ、
スライダー（４０）の押し出し方向の動作によってメモリーカード（Ａ）が排出されるようにしてなるプッシュ式メモリーカードコネクタにおいて、
メモリーカード挿入空間に挿入されるメモリーカード（Ａ）の表面又は裏面に重ね合せられる配置に設置され、
前記復帰バネは、線材を、同一平面上にてジグザグ状に折り曲げた形状の折り曲げ線状バネ（５０）をもって構成させ、
スライダー（４０）の背面には両側部及び前端部側に立ち上がり部を有し、
該立ち上がり部に囲まれた部分を折り曲げ線状バネ（５０）が収容される凹部（４６）とし、
前端部側の前記立ち上がり部と、ハウジング（３０）のメモリーカード挿入空間奥部との間に折り曲げ線状バネ（５０）を蓄圧状態で介在させて、前記復帰バネをスライダー（４０）の背面に重ね合せて配置したことを特徴としてなるプッシュ式メモリーカードコネクタ。
【発明の詳細な説明】
【技術分野】
【０００１】
本発明は、プッシュオン・プッシュオフ機構（モーメント・オルタネイト動作機構）を用い、ハウジングのメモリーカード挿入空間にメモリーカードを差し込んで押し込むことにより所定の押し込み位置で戻り止めされ、再度の押し込み動作によって戻り止めが解除されて押し戻されるプッシュ式メモリーカードコネクタに関する。
【背景技術】
【０００２】
従来プッシュ式メモリーカードコネクタは、クタハウジング内に、メモリーカードの挿入・排出方向に往復スライドするスライダーと、そのスライダーをメモリーカードの排出方向に付勢させる復帰バネと、スライダーをメモリーカードと共に押し込むことにより、その所定の押し込み位置でスライダーを戻り止めし、再度の押し込み動作によって戻り止めを解除するプッシュオン・プッシュオフ機構を備え、メモリーカードを差し込んでスライダーを押し込むことにより、該スライダーが所定の押込位置で戻り止めされるとともに、メモリーカードは、スライダーの押込位置で該スライダー係止されて抜け止めされ、メモリーカードを再度の押し込むことによってスライダーの戻し止めが解除され、復帰バネによってスライダーとともにメモリーカードが押し戻されるとともに、メモリーカードは、スライダーに対する係合が解除されて抜き取り可能となるようにした構造のものが知られている（例えば特許文献１）。
【０００３】
また、この主のメモリーカードコネクタにおけるプッシュオン・プッシュオフ機構には、所謂ハートカム機構が使用されている。
【０００４】
この種の従来のプッシュ式メモリーカードコネクタでは、図７〜図９に示すように、モールド成型されたハウジング本体１と、シールド兼用の金属カバー２とによってハウジング３を形成させ、そのハウジング内に、メモリーカード挿入空間４がその開口部をハウジングの前端面に開口させて形成されている。
【０００５】
ハウジング３内には、メモリーカード挿入空間４の一方の側部に位置させてスライダー収容部５が設けられ、ここにスライダー６がメモリーカード挿抜方向に移動可能に収容されている。
【０００６】
スライダー６は、その押し込み方向の先端部側面に、メモリーカード挿入空間４に挿入させるメモリーカードＡの先端を受けるメモリーカードストッパー部１１が突設され、またスライダー６押し込み方向の先端面には該スライダー６を押し戻す復帰バネの先端を受ける復帰バネ先端受け部１２が設けられている。この復帰バネ受け部１１とスライダー収容部５の際奥部の立ち上がり部に形成した復帰バネ受部１３との間にコイルスプリングからなる復帰バネ１４が所望の蓄勢状態で介在されている。
【０００７】
尚、この従来例では、スライダー６のストッパー部１１側の側面に、ストッパー部１１とは所定の間隔を隔ててメモリーカードロック用爪１５が突設されており、この爪１５によって、メモリーカードＡの挿入初期状態では該メモリーカードを仮止め、即ち引き抜き可能なハーフロック状態となし、押し込み位置では抜け止め、即ちロック状態とするようになっている。
【０００８】
スライダー６の上面には、ピンガイド溝２０が設けられている。このピンガイド溝２０と後述するガイドピン２１とによってハートカム機構が構成されている。
【０００９】
ピンガイド溝２０は、ハート形をしたハートカム２２の両側面に、往路ガイド溝部２０Ａと復路ガイド溝部２０Ｂとが設けられ、これら両ガイド溝部２０Ａ，２０Ｂの両端部は相互に繋がった循環構造になっている。
【００１０】
ガイドピン２１は、金属線材を折り曲げて形成されており、直線状の回動アーム部２１ａの先端側にこれを９０度折り曲げた形状に溝内摺動部２１ｂが一体に備えられ、回動アーム部２１ａの基端部にはこれを９０度折り曲げた形状に枢軸部２１ｃが一体に備えられた構造となっており、この枢軸部２１ｃをハウジング本体１の軸受け穴に挿入させ、溝内摺動部２１ｂをピンガイド溝２０内に挿入させている。
【００１１】
このピンガイド溝２０とガイドピン２１とによって構成されるハートカム機構は、スライダー６を初期状態から所定の深さまで押し込みその押し込みを放した時にガイドピン２１の溝内摺動部２１ｂがピンガイド溝２０のハートカム２２に係合されてスライダー６の戻り止めされ、再度押し込むことによって前記係合が解除され、その押し込みを放すことによってガイドピン２１の溝内摺動部２１ｂのハートカム２２部分に対する係合が外れ、スライダー６が復帰バネ１４によって初期状態に戻されるようになっている。
【特許文献１】特開２００３−３１７８６１号公報  図４
【発明の開示】
【発明が解決しようとする課題】
【００１２】
近年、携帯式電子機器の小型化及び高機能化に伴い、これらに使用するメモリーカードコネクタに対しても小型化が要求されている。
【００１３】
これに対し、上述した従来のプッシュ式メモリーカードコネクタでは、スライダーを復帰させるための復帰バネにコイルスプリングを使用しており、スライダーの復帰に必要な動作力を得るためには、コイルスプリングの小型化に限界がある。このため、コネクターハウジングの全体の厚さを一定以下にすることができないという問題があった。
【００１４】
また、スライダーがメモリーカード挿入部の側部にあるため、コネクターハウジングの横幅がその分だけ幅広にならざるを得ないという問題があった。
【００１５】
本発明はこのような従来の問題に鑑み、従来に比べて全体の厚さを薄くするとともに横幅をも小さくすることが出来るプッシュ式メモリーカードコネクタを提供することを目的としてなされたものである。
【課題を解決するための手段】
【００１６】
上記従来の問題を解決し、所期の目的を達成するための請求項１に記載の発明の特徴は、ハウジング内にあってそのメモリーカード挿入空間に挿抜されるメモリーカードの挿入・排出方向に往復スライドするスライダーと、前記スライダーを前記メモリーカードの排出方向に付勢させる復帰バネと、前記スライダーを前記メモリーカードと共に押し込むことにより、その所定の押し込み位置で前記スライダーを戻り止めし、再度の押し込み動作によって戻り止めを解除するためのピンガイド溝及び該ピンガイド溝内を摺動するガイドピンとからなるプッシュオン・プッシュオフ機構とを備え、前記メモリーカードの押込方向動作によって前記スライダーが押し込まれ、該スライダーの押し出し方向の動作によって前記メモリーカードが排出されるようにしてなるプッシュ式メモリーカードコネクタにおいて、
前記スライダーは、前記ハウジング内にあって、前記メモリーカード挿入空間に挿入されるメモリーカードの表面又は裏面に重ね合せられる配置に設置され、前記復帰バネは、線材を、同一平面上にてジグザグ状に折り曲げた形状の折り曲げ線状バネをもって構成させ、
該復帰バネをスライダーの背面に重ね合せ配置に設置したことを特徴としてなるプッシュ式メモリーカードコネクタ。
【００１７】
請求項２に記載の発明の特徴は、前記請求項１の構成に加え、前記スライダーの背面には両側部及び突出側端部側に立ち上がり部を有し、該立ち上がり部に囲まれた部分を前記折り曲げ線状バネが収容される凹部とし、前記突出先端側の立ち上がり部と、前記ハウジングのメモリーカード挿入空間奥部との間に前記折り曲げ線状バネを蓄圧状態で介在させたことにある。
【００１８】
請求項３に記載の発明の特徴は、前記請求項１又は２のいずれか１の請求項の構成に加え、前記メモリーカードは、そのハウジング挿入側先端部側の一方側縁に、誤挿入防止用の切り欠き部を有し、前記ライダーには、該切り欠き部内に嵌まり合う誤挿入防止用張出部を有し、該スライダーの誤挿入防止用張出部位置に、前記プッシュオン・プッシュオフ機構を構成するピンガイド溝を備えたことにある。
【００１９】
請求項４に記載の発明の特徴は、前記請求項１，２又は３のいずれか１の請求項の構成に加え、前記復帰バネを構成する折り曲げ線状バネの一端側を折り曲げて、前記プッシュオン・プッシュオフ機構を構成するピンガイド溝内を摺動するガイドピンを一体に形成したことにある。
【発明の効果】
【００２０】
上述の如く、本発明においては、ハウジング内のスライダーをメモリーカードと共に押し込むことにより、その所定の押し込み位置で前記スライダーを戻り止めし、再度の押し込み動作によって戻り止めを解除するためのピンガイド溝及び該ピンガイド溝内を摺動するガイドピンとからなるプッシュオン・プッシュオフ機構を備え、前記メモリーカードの押込方向動作によって前記スライダーが押し込まれ、該スライダーの押し出し方向の動作によって前記メモリーカードが排出されるようにしてなるプッシュ式メモリーカードコネクタにおいて、  前記スライダーを、ハウジング内にあって、メモリーカード挿入空間に挿入される平版状をしたメモリーカードの表面又は裏面に重ね合せられる配置に設置し、復帰バネは、線材を、同一平面上にてジグザグ状に折り曲げた形状の折り曲げ線状バネをもって構成させ、該復帰バネをスライダーの背面に重ね合せ配置に設置したことにより、復帰バネが必要とする厚さ方向のスペースは、これを構成する折り曲げ線状バネの太さ分だけあれば足り、また、復帰バネに必要な弾性係数及び伸縮ストロークは、線状バネをジグザグ状に折り曲げすることによって必要な値となるように適宜設計することが容易に出来る。
【００２１】
また、挿入されるメモリーカードに対して平面的な重ね合せ配置のスライダーと、前記ジグザグ状の折り曲げ線状バネとを組み合わせることによって、折り曲げ線状バネの全体の幅、即ち伸縮方向に直交する方向の長さを大きくすることができ、バネ定数及び伸縮ストロークの設定範囲が広くなり、多様な要求に対応できる。
【００２２】
また、本発明では、スライダーの背面には両側部及び突出側端部側に立ち上がり部を有し、該立ち上がり部に囲まれた部分を前記折り曲げ線状バネが収容される凹部とし、前記突出先端側の立ち上がり部と、前記ハウジングのメモリーカード挿入空間奥部との間に前記折り曲げ線状バネを蓄圧状態で介在させることにより、スライダーの厚さ内に復帰バネ材の厚さを包含させることができ、スライダーのハウジングに対する組み込み状態の安定性を容易に確保できる。
【００２３】
更に、本発明では、メモリーカードに、そのハウジング挿入側先端部側の一方側縁に、誤挿入防止用の切り欠き部を形成し、ライダーに、前記切り欠き部内に嵌まり合う誤挿入防止用張出部を備え、該誤挿入防止用張出部位置に、前記プッシュオン・プッシュオフ機構を構成するピンガイド溝を備えることにより、従来、メモリーカードの横幅の外側にピンガイド溝を備えていたものに比べ、そのピンガイド溝構成部分の幅だけハウジング幅を小さく形成することができる。
【００２４】
更に、本発明では、復帰バネを構成する折り曲げ線状バネの一端側を折り曲げて、前記プッシュオン・プッシュオフ機構を構成するピンガイド溝内を摺動するガイドピンを一体に形成することにより、従来別部品であった復帰バネとガイドピンとを１部品とすることができ、このため部品点数が少なくなって部品製造コストが削減できるとともに、従来３〜５ｍｍ程度の大きさのガイドピンの場合、自動機による組立てが困難であったが、復帰バネとガイドピンが一体化されることによって部品形状が大きくなり、自動機による組立てがより容易なものとなり、組立てのためのコストをも削減できる。
【発明を実施するための最良の形態】
【００２５】
以下、本発明に係るプッシュ式メモリーカードコネクタを実施するための最良の形態を、図1〜図６に示す実施例を参照して詳細に説明する。
【００２６】
図において符号３０は本例のコネクタのハウジングであり、このハウジング３０は合成樹脂によってモールド成型されたハウジング本体３１とこれに重ね合わせる配置に組み合わせた金属材料をプレス成型したシールドカバー３２とから構成されハウジング本体３１とシールドカバー３２とをもって薄箱状のハウジング３０を構成している。
【００２７】
ハウジング本体３１には図３（ｃ）に示すように、平版状をした底板部３１ａを有しており、その上面の一方の側部上面に一体に立ち上げた形状に側壁構成部３１ｂが、また、後端部上面に一体に立ち上げた形状の後壁構成部３１ｃがそれぞれ備えられている。底板部３１ａの他方の側部上面には立ち上がりがない状態となっている。
【００２８】
一方シールドカバー３２は、前記底板部３１ａと平行配置となる平版状の天板部３２ａを有し、その一方の側縁を下向きに折り曲げ成型した形状の側壁構成部３２ｂ、他方の側縁を下向きに折り曲げ形成した側壁外カパー部３２ｃ、及び後縁を下向きに折り曲げた後壁部外シールド部３２ｄが一体に備えられ、各側壁構成部３２ｂ及び側壁外カバー部３２ｃの下縁には天板部と平行となる方向に折り曲げられた係合片が一体に備えられ、この係合片をハウジング本体３１に対して係止させることによって、薄箱状のハウジング３０組立て形成されるようになっている。
【００２９】
このハウジング３０の一方の側壁がハウジング本体３１の側壁構成部３１ｂによって、他方の側壁がシールドカバー３２の一方の側壁構成部３２ｂによって、また後壁がハウジング本体３１の後壁構成部３１ｃによってそれぞれ構成され、前端部に長方形状断面の開口部３０ａを有する薄箱状となっている。
【００３０】
ハウジング本体３１の底板部３１ａには、メモリーカードに接続される多数のシグナルコンタクト３３が、また後壁構成部３１ｃには、メモリーカードの挿抜によってオン・オフされるスイッチコンタクト３４ａ，３４ｂがインサート成型によって保持されている。
【００３１】
ハウジング３０内には、スライダー４０が前後方向に移動可能に収容されている。スライダー４０は合成樹脂によってモールド成型されており、底板部３１ａ及び天板部３２ａと平行配置となる平版状部４１ａを有している。この平版状部４１ａは、ハウジング３０の内部空間の左右の側壁部間内に整合される幅に形成されており、両側縁部が、前述したハウジング３０の両側壁構成部３１ｂ，３２ｂの内面に沿って前後に摺動できるように収容されている。
【００３２】
このスライダー４０は、後述する折り曲げ線状バネ５０によってハウジング開口部側に付勢され、シールドカバー３２の前端縁部の両側部を下向きに折り曲げた形状のストッパー片３２ｆによって抜け止めされている。
【００３３】
スライダー４０の下面には、図４に示すように、メモリーカード挿入部４２が形成されている。このメモリーカード挿入部４２の一方の側縁部は、平版状部４１ａの一方の側縁部下面に一体に形成された内向きのコ字状断面をしたメモリーカード挿入溝４３によって構成され、他方の側縁部は、平版状部４１ａの他方の縁部の前端側下面に一体に突設されたメモリーカード誤挿入防止用張出部４４と、ハウジング本体３１の一方の側壁構成部３１ｂとによって構成されている。
【００３４】
また、メモリーカード挿入溝４３のハウジング後部側には、平版状部４１ａの前端部下面に突設されたメモリーカード当接片４５が垂下されており、メモリーカードＡが挿入された際に、その前端部が、当接片４５と前記メモリーカード誤挿入防止用張出部４４とに当接することにより、該メモリーカードＡの押込操作することによりスライダー４０が後方側に押し込まれ、逆にスライダー４０の押込動作後に、スライダーが押し出し方向に動作されることによってスライダー４０とともにメモリーカードＡが押し出されるようになっている。
【００３５】
スライダー４０の平版状部４１ａの上面には、復帰動作用のバネ材を収容するバネ材収容凹部４６が形成されている。この凹部４６は、図１、図４に示すように平版状部４１ａの上面の前端部及び両側部に肉厚部４７ａ，４７ｂ，４７ｃを形成し、後端側が解放された四角形状に形成されており、その凹部４６の深さは、後述する折り曲げ線状バネ５０を構成している線材の直径よりやや大きい程度となっている。
【００３６】
このバネ材収容凹部４６とシールドカバー３２の天板部３２ａとによって囲まれる扁平な空間内に折り曲げ線状バネ５０の一端側が挿入されている。この折り曲げ線状バネ５０は、バネ材からなる線材を同一平面上においてジグザグ状に複数個所にて折り曲げた形状をしており、そのジグザグの幅方向をスライダー４０の幅方向に向けて、該スライダー４０の上面に平行に重ね合わせる配置に設置されている。
【００３７】
この折り曲げ線状バネ５０を図１、図２に示すように、長さ方向、即ち前記ジグザグ幅方向と直行する向きの長さを縮めて蓄勢させた状態で、その一端側を、凹部４６を構成している前端側肉厚部４７ａの後部側に当接させ、他端側をハウジング本体３１の後壁構成部３１ｃの前面に当接させている。これによってスライダー４０は、常時開口部側に向けて付勢された状態としている。
【００３８】
スライダー４０は、ハートカム機構を用いたプッシュオン・プッシュプッシュオフ機構によって動作が規制されるようになっている。即ち、スライダー４０の初期状態、即ちハウジング開口部側へ押し出された状態から、メモリーカードＡが差し込まれてこれによって差し込まれた位置で抜け止めされた状態となり、再度の押込によって抜け止め状態が解除された状態となって、復帰バネである折り曲げ線状バネ５０によって初期状態に戻されるようになっている。
【００３９】
ハートカム機構は、前述した従来技術と同様に、ピンガイド溝２０とガイドピン２１とによってハートカム機構が構成されている。
【００４０】
ピンガイド溝２０は、スライダー４０の前述したメモリーカード誤挿入防止用張出部４４部分の上面側に形成されており、ハート形をしたハートカム２２の両側面に、往路ガイド溝部２０Ａと復路ガイド溝部２０Ｂとが設けられ、これら両ガイド溝部２０Ａ，２０Ｂの両端部は相互に繋がった循環構造になっている。
【００４１】
ガイドピン２１は、図９に示す従来品と同様に、金属線材を折り曲げて形成されており、直線状の回動アーム部２１ａの先端側にこれを９０度折り曲げた形状に溝内摺動部２１ｂが一体に備えられており、回動アーム部２１ａの基端部にはこれを９０度折り曲げた形状に枢軸部２１ｃが一体に備えられた構造となっており、この枢軸部２１ｃがハウジング本体１の軸受け穴に挿入されているとともに、溝内摺動部２１ｂがピンガイド溝２０内に挿入されている。
【００４２】
このピンガイド溝２０とガイドピン２１とによって構成されるハートカム機構は、スライダー４０を初期状態から所定の深さまで押し込みその押し込みを放した時にガイドピン２１の溝内摺動部２１ｂがピンガイド溝２０のハートカム２２に係合されてスライダー４０の戻り動作が阻止され、再度押し込むことによって前記係合が解除され、その押し込みを放すことによってガイドピン２１の溝内摺動部２１ｂのハートカム２２部分に対する係合が外れ、スライダー４０が復帰バネである折り曲げ線状バネ５０によって初期状態に戻されるようになっている。
【００４３】
このように構成されるプッシュオン・オフコネクタにおいては、スライダー４０が初期状態、即ちハウジング開口部側に押し出された待機位置にある状態で、スライダー４０の平版状部４０ａとハウジング本体の底板部３１ａ間のメモリーカード挿入空間に、メモリーカードＡを所定の向きで挿入し（図２に示す状態）、該メモリーカードＡによってスライダー４０を押し込む、これによってスライダー４０はメモリーカードを保持して後方に押し込まれ、ハートカム機構によって所定の押込位置で停止され、メモリーカードＡを抜け止めしたロック状態となる。この時復帰バネである折り曲げ線状バネ５０は、その厚さ、即ち上下方向の高さが変更されることなく長さ方向に圧縮され。
【００４４】
メモリーカードＡの抜き取りに際しては、メモリーカードＡを押し込み方向に動作させることにより、ハートカム機構による前述した戻り止め状態が解除され、折り曲げ線状バネ５０による押し出し方向の動作力によってスライダー４０が押し出方向側に動作され、初期状態に戻され、これによってメモリーカードＡは抜き取り可能な位置に押し出される。
【００４５】
尚、図において符合５５はスライダー４０に一端が固定された板バネからなるメモリーカード係止片、５６は、メモリーカードＡの側縁部に形成したロック用凹部であり、スライダー４０に対してメモリーカードＡが正常な向きで挿入された際に、前記凹部５６にメモリーカード係止片５５が嵌合されるようになっている。
【００４６】
そして、スライダー４０が初期状態にあるときは、係止片５５は、側壁構成部３２ｂに形成された窓穴５７の位置にあり、メモリーカード挿入によって窓穴５７より外側に逃げ、メモリーカードＡが容易に挿入でき、挿入後は前記待機位置でメモリーカードＡが係止片５５によって仮止めされたハーフロック状態となるようになっておいる。
【００４７】
また、メモリーカードＡが挿入されてスライダー４０が押し込まれると、係止片５５は側壁構成部３２ｂによって凹部５６に対する外れ方向の移動が阻止される状態となり、スライダー４０に対してメモリーカードＡ抜き取り不能のロック状態となるようになっている。
【００４８】
上述の実施例では、折り曲げ線状バネ５０とハートカム機構のガイドピン２１とを別部品としているが、この両部品を一体化したものであっても良く、図５、図６に示すように、この例では、折り曲げ線状バネ５０の奥側端部を延長させた配置に連結部５０ａを一体に折り曲げ形成しておき、この連結部５０ａの先端にガイドピン２１一体に折り曲げ成型する。このガイドピン２１は、連結部５０ａの先端側を水平方向に９０度に折り曲げて回動アーム部２１ａとし、その先端に下向き９０度に折り曲げた溝内摺動部２１ｂを一体に備えている。
【００４９】
そして、前記連結部５０ａをハウジング本体３１の後壁構成部３１ｃの上面に形成した線状バネ端部保持用溝６０内に嵌め合せ、シールドカバー３２により上面側を覆うことによってガイドピン２１を所定位置に保持させている。
【００５０】
このハートカム機構では、スライダー４０と共にピンガイド溝２０が前後に移動することによって、回動アーム部２１ａが弾性変形して溝内摺動部２１ａがピンガイド溝２０内を循環し、所定のプッシュオン・プッシュオフ動作がなされる。
【００５１】
更に、この例では、上記ガイドピン２１の他、折り曲げ線状バネ５０の他端側に連結部５０ｂを介してメモリーカード係止片５５をも一体に成型したものを使用している。
【００５２】
このように折り曲げ線状バネ５０とハートカム機構のガイドピン２１とを一体化した１部品とすることにより、部品点数が少なくなると同時に、コネクタの小型化にともなってハートカム機構も微小化している現況において、微細な部品であるガイドピンが比較的形状の大きい復帰バネと一体となることにより製造及び組立ての自動化が容易となる。
【００５３】
また、折り曲げ線状バネ５０とメモリーカードを仮抜け止め及び完全抜け止めを行わせるメモリーカード係止片５５をも一体化させることにより、従来のように別部品のメモリーカード係止片の製造及びこれをスライダーに対してインサート成型させる工程が省略され、部品点数が少なくなると同時に製造が容易となる。
【図面の簡単な説明】
【００５４】
【図１】本発明に係るプッシュ式メモリーカードコネクタの一実施例でハウジングのシールドカバー部分を仮想線で表した斜視図である。
【図２】図１に示すプッシュ式メモリーカードコネクタにメモリーカードをハーフロック状態に挿入した状態を、シールドカバー及びスライダー部分を仮想線で表した斜視図である。
【図３】（ａ）は、図１に示すプッシュ式メモリーカードコネクタのシールドケースを、（ｂ）は同スライダーを、（ｃ）は同ハウジング本体をそれぞれ示す斜視図である。
【図４】図１に示すプッシュ式メモリーカードコネクタのスライダーを示しており、（ａ）は平面図、（ｂ）は底面図、（ｃ）は正面図、（ｄ）は図（ａ）中のＡ−Ａ線断面図である。
【図５】本発明に係るプッシュ式メモリーカードコネクタの他の実施例でハウジングのシールドカバー部分を省略した斜視図である。
【図６】図５に示すプッシュ式メモリーカードコネクタに使用している折り曲げ線状バネを示す斜視図である。
【図７】従来のプッシュ式メモリーカードコネクタのハウジングのシールドカバー部分を横断して示す平面図である。
【図８】図７に示す同プッシュ式メモリーカードコネクタの正面図である。
【図９】プッシュ式メモリーカードコネクタに使用しているガイドピンを示す斜視図である。
【符号の説明】
【００５５】
２０  ピンガイド溝
２０Ａ  往路ガイド溝部
２０Ｂ  復路ガイド溝部
２１  ガイドピン
２１ａ  回動アーム部
２１ｂ  溝内摺動部
２１ｃ  枢軸部
２２  ハートカム
３０  ハウジング
３１  ハウジング本体
３１ａ  底板部
３１ｂ  側壁構成部
３１ｃ  後壁構成部
３２  シールドカバー
３２ａ  天板部
３２ｂ  側壁構成部
３２ｃ  側壁外カパー部
３２ｄ  後壁部外シールド部
３３  シグナルコンタクト
３４ａ，３４ｂ  スイッチコンタクト
４０  スライダー
４１ａ  平版状部
４２  メモリーカード挿入部
４３  メモリーカード挿入溝
４４  メモリーカード誤挿入防止用張出部
４５  メモリーカード当接片
４６  バネ材収容凹部
４７ａ  前端側肉厚部
５０  折り曲げ線状バネ
５０ａ，５０ｂ  連結部
５５  メモリーカード係止片
５６  ロック用凹部
５７  窓穴
６０  線状バネ端部保持用溝
Ａ  メモリーカード
【図１】
0005062428.tif 000002
【図２】
0005062428.tif 000003
【図３】
0005062428.tif 000004
【図４】
0005062428.tif 000005
【図５】
0005062428.tif 000006
【図６】
0005062428.tif 000007
【図７】
0005062428.tif 000008
【図８】
0005062428.tif 000009
【図９】
0005062428.tif 000010